(57)【要約】【課題】  接点部の接触信頼性が向上されると共に、小型化が可能なスイッチ装置を提供する。【解決手段】  収納部１ａを有するハウジング１と、収納部１ａに配設された複数の固定接点２と、固定接点２と摺接する可動接点６を有し、ハウジング１にスライド移動可能に収容された駆動部材４と、駆動部材４を中立位置へ復帰させる弾性部材５と、ハウジング１に回動可能に係合され、回動操作に伴って駆動部材４をスライド移動させる操作部材７とを備え、可動接点６を両面摺動用のクリップ状に形成して駆動部材４に保持すると共に、複数の固定接点２を駆動部材４のスライド移動方向に沿って立設し、駆動部材４がスライド移動するのに伴って、可動接点６が固定接点２を挟持して摺接することにより接点の切換えを行なうようにした。【選択図】        図１
2005259510.tif 000002
【特許請求の範囲】
【請求項１】
収納部を有するハウジングと、前記収納部に配設された複数の固定接点と、これらの固定接点と摺接する可動接点を有し、前記ハウジングにスライド移動可能に収容された駆動部材と、この駆動部材を中立位置へ復帰させる弾性部材と、前記ハウジングに回動可能に係合され、回動操作に伴って前記駆動部材をスライド移動させる操作部材とを備え、前記可動接点を両面摺動用のクリップ状に形成して前記駆動部材に保持すると共に、複数の前記固定接点を前記駆動部材のスライド移動方向に沿って立設し、前記駆動部材がスライド移動するのに伴って、前記可動接点が前記固定接点を挟持して摺接することにより接点の切換えを行なうようにしたことを特徴とするスイッチ装置。
【請求項２】
前記可動接点は、前記駆動部材に一体に埋設されて形成されており、クリップ状の接点部が前記駆動部材から延出された繋ぎ桟部により保持されていることを特徴とする請求項１記載のスイッチ装置。
【請求項３】
前記可動接点には、中央に空洞部を形成し、この空洞部を挟んで両側に、前記駆動部材のスライド方向に沿って延出する一対の前記クリップ状の接点部を設け、前記駆動部材の中立位置では、前記空洞部に前記固定接点の中央接点部を位置させると共に、前記クリップ状の接点部を前記固定接点とは離間させて配置したことを特徴とする請求項２記載のスイッチ装置。
【請求項４】
前記弾性部材を、コイル状の復帰ばねで形成し、このコイル状の復帰ばねを前記駆動部材の下面に設けた凹溝部に保持したことを特徴とする請求項１乃至３の何れかに記載のスイッチ装置。
【請求項５】
前記弾性部材を、コイル状の復帰ばねで形成し、このコイル状の復帰ばねを前記ハウジングの収納部内に設けた凹溝部に保持したことを特徴とする請求項１乃至３の何れかに記載のスイッチ装置。
【発明の詳細な説明】
【技術分野】
【０００１】
本発明は、電子機器等のメカニズムの動作検出などに使用されるスイッチ装置に係り、特に自己復帰型の小型検出スイッチとしてのスイッチ装置に関する。
【背景技術】
【０００２】
従来のスイッチ装置の構造としては、ケースの内底面中央に共通接点、対向する両内側壁に固定接点を各々植設し、この共通接点に略Ｍ字状の弾性金属製の可動接点の中間部を常時弾接させると共に、中間部両端から左右に延出した第一のアーム部先端に設けられた折返部を介して形成された第二のアーム部先端の接点部を、ケース内側壁に各々弾接させ、レバーの回動によって摺動体がケースの内底面を摺動し、両端の押圧部が可動接点の接点部を、固定接点に接離させるようにした構成のものが知られている（例えば、特許文献１参照）。
【０００３】
以下、従来のスイッチ装置の構造を図に基づいて説明する。
図５は従来のスイッチ装置の断面図、図６は従来のスイッチ装置の分解斜視図である。
【０００４】
図において、１１は上面に開口部１１Ａを有する絶縁樹脂製の箱型のケースで、下内側壁中央には導電金属製の共通接点１２が、対向する左右の内側壁には一対の固定接点１３，１４が、各々インサート成形等によって植設固定されている。
【０００５】
１５はリン青銅等の弾性金属薄膜製の略Ｍ字状の可動接点で、中間部１５Ａ下面の突部が共通接点１２に弾接すると共に、中間部１５Ａ両端から左右に延出し、外方に広がった、第一のアーム部１５Ｂ先端には折返部１５Ｃが設けられ、この折返部１５Ｃから延出した第二のアーム部１５Ｄ先端の外方に湾曲した接点部１５Ｅが、ケース１１の左右の内側壁に弾接している。
【０００６】
１６は絶縁樹脂製のレバーで、上端の操作部１６Ａがケース１１の開口部１１Ａから上方に突出し、円孔状の軸部１６Ｂがケース１１の円柱状の軸部１１Ｃに回動可能に装着されると共に、下端には歯車状の当接部１６Ｃが設けられている。
【０００７】
１７は絶縁樹脂製の摺動体で、左右方向へ摺動可能にケース１１内に収納されると共に、両端の押圧部１７Ａが可動接点１５の折返部１５Ｃ近傍に当接し、上面の歯形の係合部１７Ｂがレバー１６の当接部１６Ｃ と噛合っている。
そして、これら可動接点１５やレバー１６、摺動体１７等が収納されたケース１１の前面を、カバー１８が覆ってスイッチ装置が構成されている。
【０００８】
スイッチの動作としては、中立状態から、レバー１６の操作部１６Ａを例えば右方向に回動操作すると、上面の係合部１７Ｂがレバー１６下端の当接部１６Ｃと噛合った摺動体１７が、ケース１１内底面上を左方向へ摺動する。
【０００９】
そして、摺動体１７左端の押圧部１７Ａが可動接点１５の折返部１５Ｃ近傍の第一のアーム部１５Ｂを押圧するため、左側の第一のアーム部１５Ｂや第二のアーム部１５Ｄが撓み、左側の接点部１５Ｅがケース１１の左内側壁面を下方向に弾接摺動して、接点部１５Ｅが固定接点１３に接触することによって、可動接点１５を介した固定接点１３と共通接点１２との電気的接続が行われる。
【００１０】
そして、レバー１６の操作部１６Ａへの操作力を解除すると、可動接点１５の弾性復帰力によって、接点部１５Ｅが固定接点１３から離れると共に、可動接点１５に押圧された摺動体１７が中央方向へ摺動し、レバー１６が中立状態に復帰する。
【００１１】
【特許文献１】特開２００３−１３２７６５号公報
【発明の開示】
【発明が解決しようとする課題】
【００１２】
しかしながら、上述した従来のスイッチ装置の構造においては、略Ｍ字状の弾性金属薄板からなる可動接点のアーム部を摺動体（駆動部材）の復帰用ばねとして使用し、このアーム部の先端を固定接点と接触する接点部としているため、構造上、接点部の接触が片面摺動となり接触が不安定になるという問題があった。また、弾性金属薄板のバネスパンが十分必要となるため、小型化が困難であるという問題があった。
【００１３】
したがって、本発明では上述した問題点を解決し、接点部の接触信頼性が向上されると共に、小型化が可能なスイッチ装置を提供することを目的とする。
【課題を解決するための手段】
【００１４】
上記課題を解決するために本発明では第１の解決手段として、収納部を有するハウジングと、前記収納部に配設された複数の固定接点と、これらの固定接点と摺接する可動接点を有し、前記ハウジングにスライド移動可能に収容された駆動部材と、この駆動部材を中立位置へ復帰させる弾性部材と、前記ハウジングに回動可能に係合され、回動操作に伴って前記駆動部材をスライド移動させる操作部材とを備え、前記可動接点を両面摺動用のクリップ状に形成して前記駆動部材に保持すると共に、複数の前記固定接点を前記駆動部材のスライド移動方向に沿って立設し、前記駆動部材がスライド移動するのに伴って、前記可動接点が前記固定接点を挟持して摺接することにより接点の切換えを行なうようにした構成とした。
【００１５】
また、第２の解決手段として、前記可動接点は、前記駆動部材に一体に埋設されて形成されており、クリップ状の接点部が前記駆動部材から延出された繋ぎ桟部により保持されている構成とした。
また、第３の解決手段として、前記可動接点には、中央に空洞部を形成し、この空洞部を挟んで両側に、前記駆動部材のスライド方向に沿って延出する一対の前記クリップ状の接点部を設け、前記駆動部材の中立位置では、前記空洞部に前記固定接点の中央接点部を位置させると共に、前記クリップ状の接点部を前記固定接点とは離間させて配置した構成とした。
【００１６】
また、第４の解決手段として、前記弾性部材を、コイル状の復帰ばねで形成し、このコイル状の復帰ばねを前記駆動部材の下面に設けた凹溝部に保持した構成とした。
また、第５の解決手段として、前記弾性部材を、コイル状の復帰ばねで形成し、このコイル状の復帰ばねを前記ハウジングの収納部内に設けた凹溝部に保持した構成とした。
【発明の効果】
【００１７】
上述したように、本発明のスイッチ装置は、収納部を有するハウジングと、収納部に配設された複数の固定接点と、固定接点と摺接する可動接点を有し、ハウジングにスライド移動可能に収容された駆動部材と、駆動部材を中立位置へ復帰させる弾性部材と、ハウジングに回動可能に係合され、回動操作に伴って駆動部材をスライド移動させる操作部材とを備え、可動接点を両面摺動用のクリップ状に形成して駆動部材に保持すると共に、複数の固定接点を駆動部材のスライド移動方向に沿って立設し、駆動部材がスライド移動するのに伴って、可動接点が固定接点を挟持して摺接することにより接点の切換えを行なうようにしたことから、クリップ状の可動接点が固定接点の両面を挟持して摺接するので、互いの接点部の接触が安定すると共に、駆動部材の移動方向と接点部の摺動する方向が同じなので、ハウジングを小さくでき、スイッチ装置の小型化が可能となる。
【００１８】
また、可動接点は、駆動部材に一体に埋設されて形成されており、クリップ状の接点部が駆動部材から延出された繋ぎ桟部により保持されていることから、可動接点が駆動部材と一体に摺動されるので、互いの間に遊びがなくがたつくことなくスムーズな切換えができる。
また、可動接点には、中央に空洞部を形成し、空洞部を挟んで両側に、駆動部材のスライド方向に沿って延出する一対のクリップ状の接点部を設け、駆動部材の中立位置では、空洞部に固定接点の中央接点部を位置させると共に、クリップ状の接点部を固定接点とは離間させて配置したことから、初期状態では可動接点が固定接点とフリーの状態となっているので、組立時の作業性が容易となり、接点部の変形、損傷等を防止できる。
【００１９】
また、弾性部材を、コイル状の復帰ばねで形成し、コイル状の復帰ばねを駆動部材の下面に設けた凹溝部に保持したことから、駆動部材を確実に中立位置に自己復帰させることができると共に、スイッチ装置の小型化が可能となる。
また、弾性部材を、コイル状の復帰ばねで形成し、コイル状の復帰ばねをハウジングの収納部内に設けた凹溝部に保持したことから、同じく駆動部材を確実に中立位置に自己復帰させることができると共に、スイッチ装置の小型化が可能となる。また、復帰ばねの組立が容易となる。
【発明を実施するための最良の形態】
【００２０】
以下、本発明のスイッチ装置の実施形態を図１乃至図４に示す。図１は本発明のスイッチ装置の分解斜視図、図２は本発明のスイッチ装置のカバーを外した状態を示す平面図、図３は本発明のスイッチ装置の要部断面斜視図、図４は本発明のスイッチ装置の他の実施例を示す要部断面斜視図である。
【００２１】
図１乃至図３において、ハウジング１は、合成樹脂などの絶縁材で内部に収納部１ａを有する上面開口状の箱型に形成されている。また、ハウジング１の一側面側には、収納部１ａから外方へ開口する窓孔１ｂが設けられており、この窓孔１ｂの近傍外方には円形の軸穴１ｃが設けられている。この軸穴１ｃに後述する操作部材７が回動可能に軸支されると共に、前記窓孔１ｂを介して後述する駆動部材４と係合されるものとなっている。
【００２２】
また、前記ハウジング１の窓孔１ｂが設けられた一側面側と、これと対向する他側面側には、一対の係合突部１ｄ、１ｄが設けられており、これらの係合突部１ｄ、１ｄに後述するカバー８の係合片８ｃ、８ｃが係止されてカバー８がハウジング１の上面側に嵌着されるものとなっている。
【００２３】
また、前記収納部１ａの内底面の中央には、塀状の隔壁１ｅが設けられており、この隔壁１ｅを挟んで一方には、後述する駆動部材４がスライド移動する際に、その移動を案内するガイド突部１ｆが設けられている。また、このガイド突部１ｆの中央部分には切り欠き部が設けられ、この切り欠き部の対向する両端面が後述する弾性部材である復帰ばね５の両巻き端の当接部１ｇ、１ｇとなっている。
【００２４】
また、前記収納部１ａの内底面の隔壁１ｅを挟んで他方には、導電性の金属板からなる複数の固定接点２が配設されている。この固定接点２は、黄銅等の薄板金属板で形成され、その基部がインサート成形などの方法でハウジング１の内底部に一体に埋設されている。また、固定接点２には、その一端が収納部１ａの内底面から表出して立設された中央接点部２ａと、この中央接点部２ａを挟んで両側に立設された一対の周辺接点部２ｂ、２ｃとが設けられており、中央接点部２ａと周辺接点部２ｂ、２ｃとが後述する駆動部材４のスライド移動方向に沿って横に一列に並んで設けられている。
【００２５】
また、前記固定接点２の他端側には、電子機器等の図示しない回路基板の回路パターン等に接続される接続端子部３が設けられている。この接続端子部３は、ハウジング１の底面部内で固定接点２の基部と電気的に接続されており、ハウジング１の対向する両側面部から外方へ突出されて形成されている。
尚、図１及び図２では接続端子部３の先端側が接続されたものとなっているが、回路基板の回路パターン等に接続される際には、それぞれ切り離された後、個々の回路パターンと接続されるものとなっている。
【００２６】
駆動部材４は、合成樹脂等の絶縁材で略方形状に形成されている。この駆動部材４の下面側の中央には、駆動部材４を中立位置に復帰させるための弾性部材であるコイル状の復帰ばね５を保持（収容）する凹溝部４ａが設けられており、この凹溝部４ａの両側に連続して凹溝部４ａよりも細幅のガイド溝部４ｂが設けられている。このガイド溝部４ｂが前記収納部１ａのガイド突部１ｆと摺動可能に係合することにより、前記駆動部材４が収納部１ａ内にスライド移動可能に収容されるものとなっている。
【００２７】
このように、駆動部材４を中立位置に復帰させるための弾性部材を、コイル状の復帰ばね５で形成し、このコイル状の復帰ばね５を前記駆動部材４の下面に設けた凹溝部４ａに保持するようにしたので、簡単な構造のコイル状のばねを用いることで前記駆動部材４を確実に中立位置に自己復帰させることができると共に、コイルばねを小さく形成できるのでスイッチ装置の小型化が可能となっている。
【００２８】
また、前記駆動部材４の上方側面部には、複数の山形状の突起部からなる駆動カム部４ｃが設けられており、この駆動カム部４ｃが前記収納部１ａの窓孔１ｂに臨んだ状態で前記駆動部材４が前記収納部１ａに収容されている。
【００２９】
また、前記駆動部材４の下方側面部には、ばね用リン青銅等の導電性の薄板金属板からなる可動接点６が保持されており、この可動接点６は、その基部が前記駆動部材４の内部にインサート成形などの方法で一体に埋設されて形成されている。また、前記駆動部材４の下方側面部の両端からは、略コ字状をした繋ぎ桟部６ａが延出されており、この繋ぎ桟部６ａの中央部に一対のクリップ状の接点部６ｃ、６ｃが形成されている。
【００３０】
また、前記可動接点６は、前記繋ぎ桟部６ａから下方へ延設する一対の対向したアーム部６ｂ、６ｂを有し、このアーム部６ｂ、６ｂの先端に前記駆動部材４のスライド移動方向（アーム部６ｂから９０度曲げた方向）に沿って延出する一対の前記クリップ状の接点部６ｃ、６ｃが設けられている。また、前記アーム部６ｂ、６ｂの中央には、空洞部６ｄが形成されており、この空洞部６ｄを挟んで両側に前記クリップ状の接点部６ｃ、６ｃが設けられている。
【００３１】
そして、前記駆動部材４が前記収納部１ａに収容されて中立位置にある時には、前記可動接点６は、前記空洞部６ｄが前記固定接点２の中央接点部２ａ上を覆うように離間した状態で配置されると共に、前記クリップ状の接点部６ｃ、６ｃが前記中央接点部２ａの両側に配設された周辺接点部２ｂ、２ｃとは離間した状態で配置されるものとなっている。
【００３２】
このように、前記可動接点６の中央に前記空洞部６ｄを形成し、この空洞部６ｄを挟んで両側に、前記駆動部材４のスライド方向に沿って延出する一対のクリップ状の接点部６ｃ、６ｃを設け、前記駆動部材４の中立位置では、前記空洞部６ｄに前記固定接点２の中央接点部２ａを位置させると共に、前記クリップ状の接点部６ｃ、６ｃを前記固定接点２とは離間させて配置したことから、初期状態では可動接点６が固定接点２とフリーの状態となっているので、組立時の作業性が容易となり、接点部の変形、損傷等を防止できるものとなっている。
【００３３】
操作部材７は、合成樹脂などの絶縁材で形成され、先細状の略三角形からなるレバー部７ａと、このレバー部７ａの下方に円弧状に沿って形成された複数の突起部からなる操作カム部７ｂと、この操作カム部７ｂの円弧の中心に位置し、下面側へ突出して形成された支軸７ｃとを有している。
【００３４】
そして、操作部材７の支軸７ｃが、前記ハウジング１の軸穴１ｃに回動可能に軸支されると共に、前記ハウジング１の窓孔１ｂを介して、操作カム部７ｂが前記駆動部材４の駆動カム部４ｃと係合されるものとなり、操作部材７の回動に伴って、前記駆動部材４は前記ハウジング１の摺動部１ａ内をスライド移動するものとなっている。
【００３５】
カバー８は、金属板を打ち抜き折り曲げて略方形状に形成されており、平板状の上板部８ａと、この上板部８ａの四隅部から下方に９０度折り曲げられ垂下された取付板部８ｂとを有している。また、この取付板部８ｂの先端側には、外方に向かってＬ字状に延出する係合片８ｃが設けられており、この係合片８ｃが前記ハウジング１の対向する側面部に形成された前記係合突部１ｄに係合されてカバー８がハウジング１の上面側に嵌着されるものとなっている。
【００３６】
次に、上記構成のスイッチ装置の動作を説明する。
まず、図２に示すように、操作部材７に外力が加わっていない状態では、操作部材７及び駆動部材４は中立位置に保持されている。この時、駆動部材４はハウジング１の収納部１ａのガイド突部１ｆにガイド溝部４ｂが係合されて、左右のスライド方向に移動可能な状態で復帰ばね５によって中立位置に付勢されて保持されている。
【００３７】
この時、駆動部材４に一体に保持された可動接点６は、収納部１ａに配設された固定接点２の中央接点部２ａを、中央に設けられたアーム部６ｂ間の空洞部６ｄが覆うように配置されると共に、両側に設けられた一対のクリップ状の接点部６ｃ、６ｃが、中央接点部２ａの両側に配設された周辺接点部２ｂ、２ｃとは離間された状態で配置された状態となっており、可動接点６と固定接点２とは離間されてスイッチはオフ状態となっている。
【００３８】
この状態から、操作部材７のレバー部７ａに、例えば、図２の矢印Ａで示す右方向の外力が加わった時には、操作部材７が支軸７ｃを軸として図示右方向へ回動し、これに伴って操作カム部７ｂが駆動カム部４ｃと係合して駆動部材４が復帰ばね５の付勢力に抗して図示左方向へスライド移動する。
【００３９】
そして、駆動部材４に一体に保持された可動接点６が、駆動部材４の移動に伴って図示左方向にスライド移動することにより、可動接点６の一対のクリップ状の接点部６ｃ、６ｃが、固定接点２の中央接点部２ａと周辺接点部２ｂとに接触するものとなり、固定接点２の中央接点部２ａと周辺接点部２ｂとが、可動接点６を介して接続されてスイッチがオン状態となる。そして、オン信号が固定接点２から導出された接続端子部３を介して外部の電子機器等の制御回路へ出力されるものとなる。
【００４０】
この状態から、操作部材７のレバー部７ａへの外力が除去されると、操作部材７は駆動部材４が復帰ばね５の付勢力で図示右方向へスライド移動して初期位置（中立位置）へ復帰するのに伴って、図示左方向へ回動されて初期位置へ復帰するものとなる。この時、可動接点６も図示右方向へスライド移動されて一対のクリップ状の接点部６ｃ、６ｃが固定接点２の中央接点部２ａ及び周辺接点部２ｂと離間してスイッチがオフ状態となる。
【００４１】
尚、操作部材７が図示左方向である反対方向へ回動された場合においても同様な動作となることからその説明は省略する。
このように、前記可動接点６は、前記駆動部材４に一体に埋設されて形成されており、前記クリップ状の接点部６ｃ、６ｃが前記駆動部材４から延出された繋ぎ桟部６ａにより保持されていることから、前記可動接点６が前記駆動部材４と一体に摺動されるので、互いの間に遊びがなく、がたつくことなくスムーズな切換えができるものとなっている。
【００４２】
図４は、本発明の弾性部材である復帰ばね５を保持する場合の構造の他の実施例を示している。
上記実施例においては、復帰ばね５の保持構造として前記駆動部材４にコイル状の復帰ばね５を保持（収容）する凹溝部４ａを設けて、この凹溝部４ａで復帰ばね５を保持するようにしたが、本実施例では、ハウジング１にコイル状の復帰ばね５を保持（収容）する凹溝部１ｈを設けて、この凹溝部１ｈで復帰ばね５を保持するようにしている。
【００４３】
このように、コイル状の復帰ばね５をハウジング１の収納部１ａ内に設けた凹溝部１ｈに保持するようにしたので、同じく駆動部材４を確実に中立位置に自己復帰させることができると共に、スイッチ装置の小型化が可能となり、また、ハウジング１の収納部１ａに上方向から挿入できるので、復帰ばね５の組立が容易に行なえるものとなっている。
【００４４】
上記した本発明の実施例によれば、前記可動接点６を両面摺動用のクリップ状に形成して前記駆動部材４に一体に保持すると共に、複数の固定接点２である中央接点部２ａ及び周辺接点部２ｂ、２ｃを前記駆動部材４のスライド移動方向に沿って立設し、前記駆動部材４がスライド移動するのに伴って、前記可動接点６のクリップ状の接点部６ｃ、６ｃが前記中央接点部２ａ及び周辺接点部２ｂ、２ｃを挟持して摺接することにより接点の切換えを行なうようにしたことから、前記可動接点６のクリップ状の接点部６ｃ、６ｃが中央接点部２ａ及び周辺接点部２ｂ、２ｃの両面を挟持して摺接するので、互いの接点部の接触が安定すると共に、前記駆動部材４の移動方向と接点部の摺動する方向が同じなので、ハウジング１を小さくでき、スイッチ装置の小型化が可能となっている。
【図面の簡単な説明】
【００４５】
【図１】本発明のスイッチ装置を示す分解斜視図である。
【図２】本発明のスイッチ装置のカバーを外した状態を示す平面図である。
【図３】本発明のスイッチ装置を示す要部断面斜視図である。
【図４】本発明のスイッチ装置の他の実施例を示す要部断面斜視図である。
【図５】従来のスイッチ装置を示す断面図である。
【図６】従来のスイッチ装置を示す分解斜視図である。
【符号の説明】
【００４６】
１：ハウジング
１ａ：収納部
１ｂ：窓孔
１ｃ：軸穴
１ｄ：係合突部
１ｅ：隔壁
１ｆ：ガイド突部
１ｇ：当接部
１ｈ：凹溝部
２：固定接点
２ａ：中央接点部
２ｂ：周辺接点部
２ｃ：周辺接点部
３：接続端子部
４：駆動部材
４ａ：凹溝部
４ｂ：ガイド溝部
４ｃ：駆動カム部
５：復帰ばね（弾性部材）
６：可動接点
６ａ：繋ぎ桟部
６ｂ：アーム部
６ｃ：接点部
６ｄ：空洞部
７：操作部材
７ａ：レバー部
７ｂ：操作カム部
７ｃ：支軸
８：カバー
８ａ：上板部
８ｂ：取付板部
８ｃ：係合片
【図１】
2005259510.tif 000003
【図２】
2005259510.tif 000004
【図３】
2005259510.tif 000005
【図４】
2005259510.tif 000006
【図５】
2005259510.tif 000007
【図６】
2005259510.tif 000008